(57)【要約】  【課題】  テンプレートを簡単に呼び出せる診療情報入力装置を提供する。  【解決手段】  患者の診療情報を保持し前記記憶手段に記憶されている診療情報記憶手段と、診療情報を入力するためのテンプレートの情報を保持し前記記憶手段に記憶されているテンプレート情報記憶手段と、テンプレート表示領域とライン入力領域とを有する診療情報入力画面を前記表示手段に表示する表示制御手段と、前記ライン入力領域にテンプレートコードを入力するコード入力手段と、テンプレートコードの入力に応じて前記テンプレート情報記憶手段を検索してテンプレート情報を読み出す検索手段と、を備え、前記表示制御手段は前記読み出したテンプレート情報に基づいて前記診療情報入力画面の前記テンプレート表示領域にテンプレートをさらに表示制御するよう構成した。  【選択図】図１
2008197900.tif 000002
【特許請求の範囲】
【請求項１】
入力手段と表示手段と記憶手段とを備え、患者の診療情報をテンプレートを使って入力し登録する診療情報入力装置であって、
患者の診療情報を保持し前記記憶手段に記憶されている診療情報記憶手段と、診療情報を入力するためのテンプレートの情報であって、少なくともテンプレートコードと、ラベル名称と、大きさの情報とを保持し前記記憶手段に記憶されているテンプレート情報記憶手段と、テンプレート表示領域とライン入力領域とを有する診療情報入力画面を前記表示手段に表示する表示制御手段と、前記ライン入力領域にテンプレートコードを入力するコード入力手段と、テンプレートコードの入力に応じて前記テンプレート情報記憶手段を検索してテンプレート情報を読み出す検索手段と、を備え、
前記表示制御手段はさらに、前記検索手段が読み出したテンプレート情報に基づいて前記診療情報入力画面の前記テンプレート表示領域にテンプレートを表示制御するものであり、さらに、前記表示したテンプレートに入力されたデータを指示に応じて前記診療情報記憶手段に記憶制御する記憶制御手段と、を備えたことを特徴とする診療情報入力装置。
【請求項２】
請求項１に記載の診療情報入力装置において、
前記コード入力手段は複数のテンプレートコードを区切り記号でつないで入力することを許容し、前記検索手段はライン入力領域に入力された複数のテンプレートコードを区切り記号に基づいて分割し、分割した各テンプレートコードについてテンプレート情報を検索して読み出し、前記表示制御手段は前記検索手段が読み出した複数のテンプレート情報に基づいて読み出した順にそのテンプレートを表示制御することを特徴とする診療情報入力装置。
【請求項３】
請求項１又は請求項２に記載の診療情報入力装置において、
前記コード入力手段はテンプレートコードに繰返しの回数を指定する繰返し記号を付加して入力することを許容し、前記検索手段はライン入力領域に入力されたテンプレートコードをコードと繰返し記号に分離し、分離したコードについてテンプレート情報を検索して読み出し、前記表示制御手段は前記検索手段が読み出したテンプレート情報に基づいて、前記分離した繰返し記号が指定する回数だけそのテンプレートを繰り返し表示制御することを特徴とする診療情報入力装置。
【請求項４】
請求項３に記載の診療情報入力装置において、
前記繰返し記号は繰返しの回数を示す数字と、数字とテンプレートコードとの境を示す分離記号との組み合わせで構成することを特徴とする診療情報入力装置。
【請求項５】
入力手段と表示手段と記憶手段とを備え、患者の診療情報をテンプレートを使って入力し登録する診療情報入力装置の入力方法であって、
診療情報を入力するためのテンプレートの情報であって、少なくともテンプレートコードと、ラベル名称と、大きさの情報とを前記記憶手段に記憶されているテンプレート情報記憶手段に記憶する手順と、テンプレート表示領域とライン入力領域とを有する診療情報入力画面を前記表示手段に表示する入力画面表示制御手順と、前記ライン入力領域にテンプレートコードを入力するコード入力手順と、テンプレートコードの入力に応じて前記テンプレート情報記憶手段を検索してテンプレート情報を読み出す検索手順と、前記読み出したテンプレート情報に基づいて前記診療情報入力画面のテンプレート表示領域にテンプレートを表示するテンプレート表示制御手順と、前記表示したテンプレートにユーザがデータを入力する手順と、前記テンプレートに入力されたデータを指示に応じて前記記憶手段に記憶されている診療情報記憶手段に記憶制御する記憶制御手順と、を含むことを特徴とする診療情報入力方法。
【請求項６】
請求項５に記載の診療情報入力方法において、
前記コード入力手順は複数のテンプレートコードを区切り記号でつないで入力することを許容し、前記検索手順はライン入力領域に入力された複数のテンプレートコードを区切り記号に基づいて分割し、分割したそれぞれについてテンプレート情報を検索して読み出し、前記テンプレート表示制御手順は、前記検索手順で読み出した複数のテンプレート情報に基づいて読み出した順にそのテンプレートを表示制御することを特徴とする診療情報入力方法。
【請求項７】
請求項５又は請求項６に記載の診療情報入力方法において、
前記コード入力手順はテンプレートコードに繰返しの回数を指定する繰返し記号を付加して入力することを許容し、前記検索手順はライン入力領域に入力されたテンプレートコードをコードと繰返し記号に分離し、分離したコードについてテンプレート情報を検索して読み出し、前記テンプレート表示制御手順は前記検索手順で読み出したテンプレート情報に基づいて、前記分離した繰返し記号が指定する回数だけそのテンプレートを繰り返し表示制御することを特徴とする診療情報入力方法。
【請求項８】
請求項７に記載の診療情報入力装置において、
前記繰返し記号は繰返しの回数を示す数字と、数字とテンプレートコードとの境を示す分離記号との組み合わせで構成することを特徴とする診療情報入力装置。
【請求項９】
入力手段と表示手段と記憶手段とを備え、患者の診療情報をテンプレートを使って入力し登録する診療情報入力装置のプログラムであって、
診療情報を入力するためのテンプレートの情報であって、少なくともテンプレートコードと、ラベル名称と、大きさの情報とを前記記憶手段に記憶されているテンプレート情報記憶手段に記憶制御する手順と、テンプレート表示領域とライン入力領域とを有する診療情報入力画面を前記表示手段に表示する入力画面表示制御手順と、前記ライン入力領域にテンプレートコードを入力するコード入力手順と、テンプレートコードの入力に応じて前記テンプレート情報記憶手段を検索してテンプレート情報を読み出す検索手順と、前記読み出したテンプレート情報に基づいて前記診療情報入力画面のテンプレート表示領域にテンプレートを表示するテンプレート表示制御手順と、前記表示したテンプレートにユーザがデータを入力する手順と、前記テンプレートに入力されたデータを指示に応じて前記記憶手段に記憶されている診療情報記憶手段に記憶制御する記憶制御手順と、を含むことを特徴とする診療情報入力プログラム。
【請求項１０】
請求項９に記載の診療情報入力プログラムであって、
前記コード入力手順は複数のテンプレートコードを区切り記号でつないで入力することを許容し、前記検索手順はライン入力領域に入力された複数のテンプレートコードを区切り記号に基づいて分割し、分割したそれぞれについてテンプレート情報を検索して読み出し、前記テンプレート表示制御手順は前記検索手順で読み出した複数のテンプレート情報に基づいて読み出した順にそのテンプレートを表示制御することを特徴とする診療情報入力プログラム。
【請求項１１】
請求項９又は請求項１０に記載の診療情報入力プログラムであって、
前記コード入力手順はテンプレートコードに繰返しの回数を指定する繰返し記号を付加して入力することを許容し、前記検索手順はライン入力領域に入力されたテンプレートコードをコードと数字に分離し、分離したコードについてテンプレート情報を検索して読み出し、前記テンプレート表示制御手順は前記検索手順で読み出したテンプレート情報に基づいて、前記分離した繰返し記号が指定する回数だけそのテンプレートを繰り返し表示制御することを特徴とする診療情報入力プログラム。
【請求項１２】
請求項１１に記載の診療情報入力装置において、
前記繰返し記号は繰返しの回数を示す数字と、数字とテンプレートコードとの境を示す分離記号との組み合わせで構成することを特徴とする診療情報入力装置。
【発明の詳細な説明】
【技術分野】
【０００１】
本発明は、患者の診療情報を記録する診療支援装置あるいは電子カルテ装置に係り、特にテンプレートを利用して診療データを入力する装置及び方法に関する。
【背景技術】
【０００２】
医療機関において、患者に対する治療内容等を記録する診療支援装置いわゆる電子カルテ装置が普及しつつある。この診療支援装置では、医師が患者を診療した際に診立てた患者の傷病名や患者の主訴や医師の所見、経過等のデータ、及び患者に実施した処置、処方、検査等の治療内容を表す診療データを記録する。従来の診療支援装置では、傷病名を入力するための病名入力業務と、処置、処方等を入力するための処方等入力業務、及び主訴、所見、経過データを入力するための経過等入力業務が通常用意されている。
【０００３】
図８は診療支援装置において診療データを表示するカルテ２号紙画面８０の一例である。紙のカルテでカルテ２号紙と呼ばれる診療行為を日々記録する用紙があり、それに似せて画面を構成しているので、カルテ２号紙画面と呼んでいる。画面右側は処置や処方、検査等の患者に実施した診療行為を入力し表示する処方等表示領域８３である。左側は病名、主訴、所見等を入力し表示する経過等表示領域８２である。診療データは通常、患者が来院して診療した診療日単位に記録するので、過去のデータは画面左の診療日リスト８１から指定して表示させる。
【０００４】
カルテは後で参照したときに何が記載されているか容易に分るように記載する必要がある。また、他人が見ることを前提に記載するのがよい。これは手書きのカルテでも電子カルテでも同じである。そこで、診療支援装置においては、入力した診療データがそれぞれ何のデータか分るように記録しておき、それを呼び出して表示するときもそれが何のデータか分るようにラベルを付けて表示している。例えば、体温のデータを記録するときは、「体温」のラベルと、「３７．６」等の実測値と、単位「℃」とをひとまとめにして記録する。但し、医師が「体温」や「℃」などをいちいち入れるのは面倒なので、従来は、診療データの入力に際して、テンプレートと呼ぶ定型の入力枠を用意しておいて、そこに実測値だけを入力すればよいようにしていた。例えば、特許文献１を参照。
【０００５】
また、図７は経過等データを入力する画面の一例である。カルテ２号紙画面８０を表示しているとき経過入力ボタン８４を指示することで、経過等入力業務が起動して表示する経過等入力画面７０である。本図は医師が主訴現病歴と、既往歴と、体温及び脈拍のデータを入力するために、それぞれのテンプレートをさらに呼び出して表示させた状態である。具体的には、画面左上の「データ選択」と表示されたツリービュー４１において、その左側のフォルダのうち先ず主訴・現病歴フォルダを開き、右側にリスト表示されたフォルダ内のテンプレート群の中から主訴現病歴と既往歴とを選択し、次に、所見フォルダ７２を開いてその中の体温及び脈拍７３を選択することで、画面右側の「既往歴・原因・主要症状・経過等」と表示されたテンプレート表示領域４２にそれぞれのテンプレート４３〜４６を表示させたものである。テンプレートは見出しであるラベルと、ユーザがデータを入力する入力枠及び単位とで構成している。但し、単位は付かないものもある。図示のテンプレート４６の場合、「脈拍」がラベル７４であり、その右の四角い枠が入力枠７５であり、さらにその右の「／ｍｉｎ」が単位７６である。この入力枠７５にユーザが数値やテキストをキーボード等から入力する。
【０００６】
テンプレートは、ツリービュー４１に示すように主訴・現病歴に係るものや基礎的診療情報に係るもの、初診時特有情報等々、幾つかのカテゴリに分けてそれぞれフォルダを分けて格納されている。その後、表示させたそれぞれのテンプレート即ち入力枠にテキストや数値を入力し、ＯＫボタンを押して診療データを登録する。これにより、ここで入力したデータがカルテ２号紙画面に反映されて表示される。
【特許文献１】特開２０００−１８１９７２
【発明の開示】
【発明が解決しようとする課題】
【０００７】
このように従来は、テンプレートを呼び出すためには、それが格納されているフォルダを開き、次にリストされた多数のテンプレートの中から所望のテンプレートを選択していた。しかし、テンプレートは数十から場合によっては数百個もあるので、一度に表示しきれない場合はスクロールさせる必要があり、探すのに手間がかかっていた。また、開いたフォルダの中に所望のテンプレートが見つからないときもあり、そのときはフォルダを開きなおして再度探す必要があり、面倒であった。
【課題を解決するための手段】
【０００８】
本発明は、入力手段と表示手段と記憶手段とを備え、患者の診療情報をテンプレートを使って入力し登録する診療情報入力装置であって、患者の診療情報を保持し前記記憶手段に記憶されている診療情報記憶手段と、診療情報を入力するためのテンプレートの情報であって、少なくともテンプレートコードと、ラベル名称と、大きさの情報とを保持し前記記憶手段に記憶されているテンプレート情報記憶手段と、テンプレート表示領域とライン入力領域とを有する診療情報入力画面を前記表示手段に表示する表示制御手段と、前記ライン入力領域にテンプレートコードを入力するコード入力手段と、テンプレートコードの入力に応じて前記テンプレート情報記憶手段を検索してテンプレート情報を読み出す検索手段と、を備え、前記表示制御手段はさらに前記読み出したテンプレート情報に基づいて前記診療情報入力画面の前記テンプレート表示領域にテンプレートを表示制御するものであり、さらに、前記表示したテンプレートに入力されたデータを指示に応じて前記診療情報記憶手段に記憶制御する記憶制御手段と、を備え上記課題を解決するものである。
【発明の効果】
【０００９】
本発明の診療情報入力装置によれば、呼び出したいテンプレートのコードをライン入力フィールドに直接入力して簡単に呼び出して表示させることができる。そのため、頻繁に使用するテンプレートには覚えやすく使いやすいコードを付けておけば、さらに簡単に呼び出すことができる。そして、従来のようにマウスを使ってカテゴリ別に分かれたフォルダを開き、その中のテンプレート群から所望のものを探して指定する場合のように、どのカテゴリに属するか考えたり、カテゴリフォルダを間違えて開きなおしたりといった手間や、たくさんのテンプレートのなかから所望の１つを探す手間がなくなるものである。
【発明を実施するための最良の形態】
【００１０】
本発明の実施の形態における診療情報入力装置１０のブロック構成を図１に示す。図において４はＬＣＤ等で構成した情報表示手段としての表示装置、５はデータ入力手段としてのキーボード、６はマウス等のポインティングデバイス、１は制御手段としてのＣＰＵ２と、ＲＯＭ及びＲＡＭ等のメモリ３とを備えた制御装置、７はハードディスク装置等の記憶手段で構成したファイル装置である。このファイル装置７には、カテゴリファイル１１と、テンプレートファイル１２と、マスタファイル１３と、患者ファイルと、診療情報ファイル１５とを記憶している。ファイル装置はテンプレート情報記憶手段、診療情報記憶手段として機能する。制御装置１は、キーボード５やポインティングデバイス６からの入力を受け付ける機能、表示装置４の表示を制御する機能、装置１０全体を制御する機能を有する。キーボード５とポインティングデバイス６は以下の説明において入力手段として機能する。診療情報入力装置１０はパーソナルコンピュータ等の一般のコンピュータを基本ハードウェアとすることもできる。そして、本装置に特有の機能を奏するプログラムを予めＲＯＭあるいはファイル装置７にインストールしておいてもよいし、ＣＤ−ＲＯＭ等の記憶媒体に格納して供給してもよい。あるいはネットワークを介してダウンロード可能にしてもよい。制御装置１が同プログラムを導入して実行することで本装置に特有の機能を発揮する。
【００１１】
図４は本実施形態における経過等データを入力する画面の一例である。図７に示した従来の入力画面とほぼ同じ構成であり、４１がカテゴリ別に格納されたテンプレートを選択するためのツリービュー、４２が呼び出したテンプレートを表示するテンプレート表示領域、その下にあるのが本願に特有のライン入力フィールド４７である。
【００１２】
図１に戻って、ファイル装置７に記憶されたカテゴリファイル１１は、テンプレートを格納するフォルダを定義するファイルである。本実施形態ではテンプレートを幾つかのカテゴリに分け、カテゴリ毎にフォルダを設けてテンプレートを格納している。このカテゴリ即ちフォルダはユーザが任意に設定できるようにしている。カテゴリファイル１１は図２（ａ）に示すように、カテゴリＩＤ、カテゴリ名称、プライベート情報等のレコードから成っている。このうち、「カテゴリＩＤ」はカテゴリ毎に装置が付けた固有のＩＤである。「カテゴリ名称」は図４に示したツリービュー４１の左側に表示するフォルダの名称であり、ユーザが任意に設定する。具体的には、「主訴・現病歴」や「基礎的診療情報」、「所見」等である。
【００１３】
テンプレートファイル１２は、個々のテンプレートを定義するファイルであり、そのレコード構成を図２（ｂ）に示す。「カテゴリＩＤ」は図２（ａ）に示したカテゴリＩＤのコピーであり、そのテンプレートがどのカテゴリに属しているかを表している。つまり、このテンプレートがどのフォルダに格納されるかを定義する。「テンプレート名称」はツリービュー４１の右側に表示するそのテンプレートの表示名称であり、ユーザが任意に設定できる。
【００１４】
「テンプレートコード」は本願に特有のものであり、それぞれのテンプレートを呼び出す際に、ライン入力フィールド４７にユーザが入力するコードである。
【００１５】
「ラベル名称」はテンプレートを呼び出して表示した際に入力枠の横に表示するラベルの名称である。図５の表示例では、「主訴現病歴」や「既往歴」、「体温」等が相当する。ラベルはユーザが分り易い名称を任意に設定できる。このラベルとともにテンプレートに入力したデータがカルテ２号紙画面に反映される。「大きさ」は入力枠の大きさ及び位置の情報である。「初期値」はそのテンプレートを呼び出して表示させたときデフォルトとして表示する数値や文字列等のデータである。
【００１６】
マスタファイル１３は、この医療機関で使う可能性がある全傷病名と、カルテに記録する項目である処置や検査等の診療行為、薬剤や処方、そして、主訴、所見、バイタル等の項目を、それぞれの名称と固有コードとともに予め登録したファイルである。患者ファイル１４は、患者の氏名や住所、保険に関する情報等の患者固有の情報を記憶するファイルである。診療情報ファイル１５は、患者に実施した処置や処方、検査さらに患者の病名等の診療に係る情報を患者別に記憶するファイルである。患者ファイル１４と診療情報ファイル１５とは固有の患者ＩＤにより関連付けられている。
【００１７】
次に、本実施形態の動作について説明する。図６は、制御装置１が表示装置４に表示制御する新たなテンプレートを、ユーザが作成するためのテンプレート作成画面６０の表示例である。分類６１はそのテンプレートのカテゴリを、あらかじめ設定してある複数のカテゴリの中から選択指定するためのプルダウンメニューである。ここで指定した分類に対応するカテゴリＩＤがテンプレートファイル１２に記憶されるとともに、当該カテゴリのフォルダにこのテンプレートファイル１２が格納される。
【００１８】
テンプレート名はツリービュー４１でカテゴリ別のフォルダを開いたときにその右側にリスト表示されるテンプレートの名称であり、ユーザが任意の文字列を入力して設定する。テンプレートファイル１２のテンプレート名に対応する。
【００１９】
テンプレートコード６３はそのテンプレートをツリービュー４１経由でなく、ユーザがライン入力フィールド４７を使って直接呼び出すときに使用するコードである。テンプレートファイル１２のテンプレートコードに対応し、ユーザが任意の文字列を入力して設定する。本実施形態では半角のカタカナ及び数字が使用できる。図示の例では、半角カナで「シュソ」が指定されている。他のテンプレートのコードと衝突しなければユーザは自由にコードを設定できるので、覚えやすい使いやすいコードを設定すればよい。
【００２０】
ラベル６４は、テンプレートを表示したときにその入力枠の左側に表示するラベルの名称であり、テンプレートファイル１２のラベル名称に対応する。ラベル６４もユーザが任意の文字列を入力して設定する。次のデフォルト値６５はテンプレートを表示させたときに入力枠に初期表示させるデータであり、ユーザが任意の数値や文字列を入力設定する。そのテンプレートを使って診療データを入力する際、ほぼ決まった数値やテキストを入力することが分っている場合には、その内容をあらかじめ設定しておくことで入力作業を簡易化する。ここで設定したデータはテンプレートファイル１２の初期値に記憶する。
【００２１】
テンプレート作成画面６０においては、テンプレートの入力枠の大きさや表示位置も指定できる。ユーザがマウス６をドラッグして位置、大きさを指定すると、作成画面中央６０のテンプレート表示エリアに作成中のテンプレートを制御装置１がリアルタイムで表示する。このとき、ラベル６４に指定した名称と、指定した大きさの入力枠を同時に表示するので、ユーザは対話的にテンプレートの大きさ、位置を調整できる。こうして対話的に調整した位置、大きさを表す数値がテンプレートファイル１２の「大きさ」に記憶される。そして、ここで表示したそのままの外観で、図４に示す入力画面４０のテンプレート表示領域４２にテンプレートは表示されるものである。以上のように設定したテンプレート名６２乃至デフォルト値６５までの設定データを、ユーザがＯＫボタンを指示したことに応じて制御装置１がテンプレートファイル１２に記憶制御する。
【００２２】
以上のように作成したテンプレートをユーザが呼び出して利用する手順を図３のフローチャート及び図４、図５の表示例を参照して説明する。
【００２３】
ユーザが例えば患者の経過等データを入力するためにキーボードやマウスを使って入力開始の指示をすると、それに応じて制御装置１は、図４に示す経過等入力画面４０を表示装置に表示制御する。この入力画面４０にはテンプレート表示領域４２と本願に特有のライン入力フィールド４７が設けられている。そこで、ユーザはこのフィールドにフォーカスを移し、所望のテンプレートを呼び出すテンプレートコードをキーボード５から入力する。その際、複数種類のテンプレートを一度に呼び出すときは、それぞれのテンプレートコードを区切り記号でつないで入力する。また、同じテンプレートを２個、３個と複数繰り返して表示させたいときは、そのテンプレートコードの後ろに繰り返しの回数を指定する繰返し記号を付けて入力する。
【００２４】
例えば、ユーザが呼び出したいテンプレートが主訴現病歴のテンプレート、既往歴のテンプレート、体温のテンプレート、及び脈拍のテンプレートが２個の場合であって、それぞれのテンプレートコードが「シュソ」、「キオウ」、「タイオン」、「ミャク」であらかじめテンプレートファイル１２に登録されているときは、ライン入力フィールド４７には図示するように「シュソ  キオウ  タイオン  ミャク＊２」と半角カナ及び数字で入力する。そして、リターンキー（エンターキー）を押す。
【００２５】
尚、本実施形態では区切り記号は半角又は全角の空白文字である。また、繰返し記号は、繰返しの回数を示す数字と、コードとの境を示す分離記号のアスタリスクの組み合わせで構成し、本例では「＊２」の部分である。
【００２６】
これに応じて制御装置１は、ライン入力フィールド４７に入力された一連の文字列をメモリ３に取り込み、区切り記号を探して文字列を分割し（ステップＳ１）、分割した各文字列を配列に記憶し（同Ｓ２）、次に、配列に記憶した各文字列について、分離記号に基づいてテンプレートコードから繰返し記号を分離して切り取り（同Ｓ３）、切り取った繰返し記号の数字を数字用配列に記憶する（同Ｓ５）。つまり、ここまでの処理でライン入力フィールド４７に入力された文字列を個々のテンプレートコードに分割し、さらに、それぞれのコード末尾に付加された繰返し記号から個数指定の数字を分離するのである。
【００２７】
そして、配列に記憶した順にテンプレートコードを読み出し、そのテンプレートの情報をテンプレートファイル１２から検索して読み出し、入力画面４０のテンプレート表示領域４２に表示していく（同Ｓ６）。このとき制御装置１はテンプレート情報を読み出す検索手段及び表示制御手段として機能する。
【００２８】
また、その際、数字用配列に記憶した数だけそのテンプレートを繰り返し表示する（同Ｓ７）。
【００２９】
このような手順を経て、図４に図示したライン入力フィールド４７の内容、即ち、「シュソ  キオウ  タイオン  ミャク＊２」の入力に応じて制御装置１がテンプレートを表示した画面を図５に示す。ライン入力フィールド４７に指定したテンプレートコードの順番に、主訴・現病歴のテンプレート４３、既往歴のテンプレート４４、体温のテンプレート４５、及び脈拍のテンプレート５６が２個表示されている。そして、ユーザが表示させたテンプレートにそれぞれデータを入力し、右下のＯＫボタンを指示すると、これに応じて制御装置１は、テンプレートに入力されたデータを診療情報ファイル１５に記憶制御するとともに、それらデータをカルテ２号紙画面に反映させて表示するように表示制御する。即ち、このとき制御装置１は記憶制御手段として機能する。
【００３０】
このように本実施形態においては、呼び出したいテンプレートのコードをライン入力フィールド４７に直接入力して呼び出すことができるので、従来のようにマウスを使ってカテゴリ別に分かれたフォルダを開き、その中のテンプレート群から所望のものを探して指定するよりも簡単に素早く呼び出して、表示させることができるようになる。
【図面の簡単な説明】
【００３１】
【図１】実施形態の診療情報入力装置の構成を示すブロック図である。
【図２】実施形態のカテゴリファイル及びテンプレートファイルのレコード構成を示す図である。
【図３】実施形態の動作を示すフローチャートである。
【図４】実施形態の経過等データを入力する画面の表示例を示す図である。
【図５】実施形態の経過等データを入力する画面の表示例を示す図である。
【図６】実施形態のテンプレート作成画面の表示例を示す図である。
【図７】従来の経過等データを入力する画面の表示例を示す図である。
【図８】カルテ２号紙画面の表示例を示す図である。
【符号の説明】
【００３２】
１  制御装置
４  表示装置
５  キーボード
６  ポインティングデバイス
７  ファイル装置
１１  カテゴリファイル
１２  テンプレートファイル
１３  マスタファイル
１４  患者ファイル
１５  診療情報ファイル
【図１】
2008197900.tif 000003
【図２】
2008197900.tif 000004
【図３】
2008197900.tif 000005
【図４】
2008197900.tif 000006
【図５】
2008197900.tif 000007
【図６】
2008197900.tif 000008
【図７】
2008197900.tif 000009
【図８】
2008197900.tif 000010